(57)【要約】      （修正有）【課題】通常使用している扇風機をそのまま使用することによって、扇風機からの送風を冷却したり、さらには自然風を手軽に冷却して室内等に送風することができるようにした冷風発生装置を提供する。【解決手段】スタンド２の上部に固定した皿形状の支持板３の上面に、冷蔵庫等の冷却装置で冷却可能な冷却容器４を交換可能に載置し、支持板の上面に立設した支柱の周部に回動自在に取り付けた左右の冷却板８ａ、８ｂが冷却容器の外周面を密接状態で包囲する形状に形成されると共に、各冷却板の側面の高さ方向に沿って所定間隔で複数の羽根板６を横方向に取り付けた構成を有し、左右の冷却板を閉じることによって冷却容器の外周面に当接した状態を固定することにより、冷却容器の冷温を左右の冷却板を介して各羽根板に伝達するようにした。【選択図】図１
0003170282.tif 000002
【実用新案登録請求の範囲】
【請求項１】
スタンドの上部に固定した皿形状の支持板の上面に、冷蔵庫等の冷却装置で冷却可能な冷却容器を交換可能に載置し、
支持板の上面に立設した支柱の周部に回動自在に取り付けた左右の冷却板が冷却容器の外周面を密接状態で包囲する形状に形成されると共に、
各冷却板の側面の高さ方向に沿って所定間隔で複数の羽根板を横方向に取り付けた構成を有し、
左右の冷却板を閉じることによって冷却容器の外周面に当接した状態を固定することにより、冷却容器の冷温を左右の冷却板を介して各羽根板に伝達するようにしたことを特徴とする冷風発生装置。
【請求項２】
各羽根板は波形状に形成されると共に、各羽根板の波形状に沿う方向に微小な勾配を設け、各羽根板の波状の勾配に沿って流下した水滴が各羽根板の端部から落下した後、皿形状の支持板の内部で受け止められるようにしたことを特徴とする請求項１記載の冷風発生装置。
【考案の詳細な説明】
【技術分野】
【０００１】
本考案は、冷蔵庫で冷やしたペットボトル等のように冷却水が収容された冷却容器を利用して、扇風機や窓辺からの風を効率的に低温化するようにした冷風発生装置に関する。
【背景技術】
【０００２】
従来から、扇風機や自然風を利用することによって、室内等を涼しくする工夫がなされている。ところが、室内や自然風自体の温度が高い場合、送られてくる風も温かいため、冷却効果は不十分なものとなる。
【０００３】
このため従来から、扇風機や自然風を利用すると共に、それによる送風温度を下げるための装置が開発されている。その一例として、特許文献１に記載されている冷風扇風機について説明する。
【０００４】
この冷風扇風機は、扇風機の羽根部に保冷剤を内蔵可能な構造とし、この保冷剤を冷蔵庫や冷凍庫で冷やした後、この冷やした保冷剤を羽根部に内蔵することにより、回転する扇風機の羽根から冷風を発生するようにしたものである。
【０００５】
また、この冷風扇風機は、羽根部にサーモテープが取り付けられ、このサーモテープの色によって羽根部の温度を確認することにより、羽根部に内蔵した保冷剤の適切な交換時期を知ることも可能とされている。
【０００６】
ところが、上記の特許文献１の冷風扇風機によると、羽根部の内部に冷却剤を収納する構造が必要となるため、従来から使用している扇風機をそのまま用いて室内等を冷却することが不可能であり、それ専用に設計した扇風機を製造する必要が生じる。
【０００７】
また、扇風機の羽根部に内蔵した保冷剤を交換する際には、羽根部のカバーを外したり、羽根部を取り外してその内部の保冷剤を交換する作業が必要であり、冷却効果を維持するための保冷剤を交換する作業に面倒な手間を必要とするものであった。
【先行技術文献】
【特許文献】
【０００８】
【特許文献１】特開２００９−１２７６２１号公報
【考案の概要】
【考案が解決しようとする課題】
【０００９】
本考案は、上記の事情に鑑みてなされたものであり、通常使用している扇風機をそのまま使用することによって、扇風機からの送風を冷却したり、さらには自然風を手軽に冷却して室内等に送風することができるようにした冷風発生装置を提供することを目的とする。
【課題を解決するための手段】
【００１０】
上記の課題を解決するために、本考案における請求項１の冷風発生装置は、スタンドの上部に固定した皿形状の支持板の上面に、冷蔵庫等の冷却装置で冷却可能な冷却容器を交換可能に載置し、支持板の上面に立設した支柱の周部に回動自在に取り付けた左右の冷却板が冷却容器の外周面を密接状態で包囲する形状に形成されると共に、各冷却板の側面の高さ方向に沿って所定間隔で複数の羽根板を横方向に取り付けた構成を有し、左右の冷却板を閉じることによって冷却容器の外周面に当接した状態を固定することにより、冷却容器の冷温を左右の冷却板を介して各羽根板に伝達するようにしたことを特徴とする。
【００１１】
また、本考案における請求項２の冷風発生装置は、請求項１において、各羽根板は波形状に形成されると共に、各羽根板の波形状に沿う方向に微小な勾配を設け、各羽根板の波状の勾配に沿って流下した水滴が各羽根板の端部から落下した後、皿形状の支持板の内部で受け止められるようにしたことを特徴とする。
【考案の効果】
【００１２】
本考案の冷風発生装置は、上記のように構成されているため、冷却容器を冷蔵庫等の冷却装置で冷却した後、この冷却容器を支持板の上面に載置し、冷却容器の両側面を左右の冷却板で閉じると、左右の冷却板は支柱を中心に回動して冷却容器の外周面を密接状態で包囲することとなる。
【００１３】
この状態で、左右の冷却板を閉じた状態に固定すると、左右の冷却板は冷却容器を密接状態で包囲し続けるため、冷却容器の冷温が左右の冷却板を介して複数の羽根板に伝達され、各羽根板を低温状態にする。
【００１４】
従って、本考案の冷風発生装置を、例えば、扇風機の前方や窓辺に設置し、扇風機からの送風や自然風を冷却装置の各羽根板に当てて冷却することにより、冷却された扇風機からの風や、冷却された自然風を得ることが可能となる。
【００１５】
また、本考案においては、左右の冷却板の固定状態を解除して左右の方向に開くことにより、支持板の上面に載置した冷却容器を取り出すことができる。また、この冷却容器を再び冷蔵庫等の冷却装置で冷やすことにより、繰り返して本考案の冷風発生装置で使用することが可能となる。
【００１６】
また、本考案において、各羽根板を波形状に形成することにより、羽根板の面積を広く確保し、冷却効率を向上することが可能となる。さらに、各羽根板の波形状に沿う方向に微小な勾配を設けたことにより、各羽根板の波状の勾配に沿って流下した水滴を、その下方に設けた皿形状の支持板の内部で受け止めることが可能となる。
【００１７】
従って、本考案の冷風発生装置によれば、通常使用している扇風機を改造することなく、そのまま使用し、この扇風機等の前方に本考案の冷風発生装置を設置すると、扇風機等の送風が冷却状態の複数の羽根板に接触しながら通過するため、扇風機等の風を低温化して送風することが可能となる。
【００１８】
また、この冷風発生装置を窓辺等の好みの場所に置くと、自然風を手軽に冷却して室内等に送風することも可能となる。
【図面の簡単な説明】
【００１９】
【図１】本考案による実施例の冷風発生装置を示す斜視図である。
【図２】本考案による実施例の冷風発生装置を示す背面図である。
【図３】本考案による実施例の冷風発生装置を示す側面図である。
【図４】本考案による実施例の冷却容器を示す斜視図である。
【図５】（ａ）は本考案による実施例の冷風発生装置の左右の羽根を閉じた状態を示す平面図であり、（ｂ）は本考案による実施例の冷風発生装置の左右の羽根を開いた状態を示す平面図である。
【考案を実施するための形態】
【００２０】
以下、本考案の実施例について図面を参照しながら説明する。
【実施例】
【００２１】
本考案の冷風発生装置１は、図１に示すように、スタンド２の上部に固定した皿形状の支持板３の上面に、冷蔵庫等の冷却装置で冷却可能な冷却容器４を交換可能に載置することができる。このような構成において、本実施例では、支持板３の高さを調整することができるように、この支持板３をネジ締結による摘み５によって高さ調整を可能としたスタンド２で支持し、このスタンド２の支柱２ａの上端に支持板３を固定した構成としている。
【００２２】
また、支持板３は周囲に枠部３ａを立ち上げてなる皿形状によって形成され、図３に示すように、風下側（図３の右方側）の底面に傾斜部３ｂを形成した形状としている。なお、この支持板３はアルミニウム等の軽量金属や合成樹脂等で形成することが可能であり、この支持板３を後述する最下部の羽根板６ａの広さよりもやや広く形成することにより、勾配を有する最下部の羽根板６ａの下流側の端部から落下する水滴を皿形状の支持板３で受け止めるようにしている。
【００２３】
また、支持板３の上面に載置する冷却容器４は、冷蔵庫等の冷却装置で冷却可能な形状に形成されている。即ち、この冷却容器４は、支持板３の上面に載置して自立可能なペットボトル製の容器、またはガラス製、あるいは金属製等の容器によって形成することが可能である。
【００２４】
また、冷却容器４の形状は、通常の１〜２リットルの飲料用ペットボトル等のように家庭用の冷蔵庫に収納して冷却可能であるものが好ましい。ただし、冷却容器４を冷凍室等で冷却することが可能である場合、冷風発生装置１を大型に構成し、１〜２リットル以上の容量を有する容器とすることも可能である。
【００２５】
いずれにしても、冷却容器４は、高さ方向に長い容器が好適し、上部に栓口４ａを有し、この栓口４ａをネジ蓋４ｂ等によって密閉状に閉塞し、また開口することにより、必要に応じて内部に収容した水等の液体を交換することが可能とされている。
【００２６】
さらに、この冷却容器４は、図４に示すように、底面及び天面４ｃが舟型の形状を有することによって、一端４ｄ側がテーパ状に形成された縦長の容器形状とするのが好ましい。こうすることによって、扇風機等の送風の流れがテーパ形状の一端４ｄから外周にまわって風下側へ流れる気流の流れをスムーズなものとすることが可能となる。
【００２７】
また、本考案においては、図１に示すように、支持板３の上面に立設した支柱７の周部に左右の冷却板８ａ、８ｂが回動自在に取り付けられている。図５（ａ）、（ｂ）に示すように、この左右の冷却板８ａ、８ｂは、上記の冷却容器４の外周面を密接状態で包囲する形状に形成されると共に、各冷却板８ａ、８ｂの高さ方向に沿って所定間隔で複数の波形状の羽根板６を横方向に延びるように形成した構成とされている。
【００２８】
さらに、上記の構成について述べると、支持板３の上面に立設された支柱７は、図３に示すように、この支柱７の下端部をネジ７ａで支持板３の端部の肉厚部に固定する等の手段により、支持板３に自立した状態で固定されている。そして、この支柱７の外周に左右の冷却板８ａ、８ｂの端部を蝶番等の構造で枢設することによって、支柱７を中心に回動自在に開閉するように構成されている。
【００２９】
また、左右の冷却板８ａ、８ｂは、上記のように支持板３の上面に載置した冷却容器４の外周形状に倣った形状とされ、冷却容器４の外周に沿って略半分に分割した形状を有し、左右の夫々の冷却板８ａ、８ｂが冷却容器４の左右の外周に沿って密接した形状に包囲することが可能とされている。
【００３０】
従って、左右の冷却板８ａ、８ｂは、図５（ａ）、（ｂ）に示すように、支持板３の上面に設置した冷却容器４の左右の半分ずつの外周側面を密接状態で閉じたり、開放したりすることが可能であり、図５（ｂ）のように、左右の冷却板８ａ、８ｂを開放することにより、支持板３の上面に設置した冷却容器４の交換が可能となる。
【００３１】
また、本実施例において、上記の左右の冷却板８ａ、８ｂは、図５（ａ）、（ｂ）に示すように、支柱７の反対側の端部において、左右の冷却板８ａ、８ｂが閉じた状態を固定する手段として、左右の冷却板８ａ、８ｂの端部にて平板状に形成された係合部８ｃ、８ｃをボルト９ａとナット９ｂとで締結する構造を採用している。ただし、この左右の冷却板８ａ、８ｂを閉じた状態を固定する手段は、ボルト９ａとナット９ｂの締結構造以外に、左右の冷却板８ａ、８ｂの端部同士を嵌合構造として、ワンタッチで閉塞し、解除することができる構造としてもよい。
【００３２】
さらに、本実施例においては、図１、図２、図３に示すように、左右の冷却板８ａ、８ｂの外側面の高さ方向に沿って所定間隔で複数の波形状の羽根板６を横方向に延びるように取り付けた、複数の羽根板６の多段構造としている。なお、上記の左右の冷却板８ａ、８ｂと各羽根板６は、軽量であって熱伝導性に優れたアルミニウム等を利用して一体的に形成するとよい。
【００３３】
また、夫々の羽根板６は、波形状の溝６ｂに沿う方向、より具体的には、図３の左方の風上から図３の右方の風下の方向へ微小な下り勾配を有する傾斜を設け、各羽根板６の波状の傾斜に沿って各溝６ｂ内を流下した水滴が皿形状の支持板３の内部で受け止められるように構成されている。
【００３４】
さらに、上記の各羽根板６は、図３に示す左方の風上側においては、上下方向に端部を揃えた構成とされているが、各羽根板６の風下側においては、上段から下段の方向に長さを徐々に延長した形状としている。このため、各羽根板６の風下側において、各端部は、上段から下段の方向に階段状に形成され、各羽根板６の波状の傾斜に沿って各溝６ｂ内を流下した水滴が上段から下段の各羽根板６で受け止められ、最終的には、最下段の羽根板６ａから皿形状の支持板３の傾斜部３ｂで受け止められ、この支持板３の皿形状内に収容されることとなる。
【００３５】
なお、上記の構成において、各羽根板６は一端を冷却板８ａ、８ｂに固定した状態で、他端を自由端としてあるが、各羽根板６の自由端側が上下に変形しないように、各羽根板６の自由端側を上下方向に固定する介添え支柱のような部材（不図示）を設けるようにしてもよい。
【００３６】
上記の構成の冷風発生装置１を使用するには、冷却容器４を冷蔵庫等の冷却装置で冷却した後、図５（ａ）、（ｂ）に示すように、この冷却容器４を支持板３の上面に載置した状態で左右の冷却板８ａ、８ｂを閉じて、ボルト９ａとナット９ｂの締結等によって固定する。これによって、左右の冷却板８ａ、８ｂは支柱７を中心に回動した後、冷却容器４の外周面を密接状態で包囲することとなる。
【００３７】
これによって、冷却容器４の冷温は左右の冷却板８ａ、８ｂを介して、左右の冷却板８ａ、８ｂの各羽根板６に伝達され、各羽根板６を低温状態にする。従って、本実施例の冷風発生装置１を、例えば、扇風機の前方や窓辺に設置することによって、それらの扇風機からの送風や自然風を低温化した冷風とすることが可能となる。
【００３８】
また、本考案においては、図５（ａ）、（ｂ）に示すように、左右の冷却板８ａ、８ｂの固定状態を解除して左右に開くことにより、支持板３の上面に載置した冷却容器４を取り出し、冷蔵庫等の冷却装置で冷やしておくことによって、再度、冷風発生装置１に取り付けて、冷却効果を発揮することが可能となる。
【００３９】
また、上記のように本考案の冷風発生装置１を使用する際に、各羽根板６に水滴が発生し、この水滴が各羽根板６の波状の勾配に沿って溝６ｂ内を流下し、その下方に設けた皿形状の支持板３の内部で受け止めることができるため、各羽根板６に発生した水滴を室内の周囲に飛散することがなく、綺麗な状態で使用することが可能となる。
【産業上の利用可能性】
【００４０】
本考案の冷風発生装置は、通常使用している扇風機を改造することなく、そのまま使用することによって、扇風機からの送風を冷却したり、さらには自然風を手軽に冷却して室内等に送風することができるようにした冷風発生装置として利用可能である。
【符号の説明】
【００４１】
１  冷風発生装置
２  スタンド
２ａ  支柱
３  支持板
３ａ  枠部
３ｂ  傾斜部
４  冷却容器
４ａ  栓口
４ｂ  ネジ蓋
４ｃ  天面
４ｄ  一端
５  摘み
６  羽根板
６ａ  最下段の羽根板
６ｂ  溝
７  支柱
７ａ  ネジ
８ａ、８ｂ  左右の冷却板
８ｃ  係合部
９ａ  ボルト
９ｂ  ナット
【図１】
0003170282.tif 000003
【図２】
0003170282.tif 000004
【図３】
0003170282.tif 000005
【図４】
0003170282.tif 000006
【図５】
0003170282.tif 000007